(57)【要約】【課題】鱗茎菜をせん断することなく、鱗茎菜の量を調節しながら選別筒に投入し、選別筒への負荷を軽減させ耐久性を向上させるとともに、作業効率を改善する鱗茎菜用回転円筒選別装置を提供する。【解決手段】基台と、第１選別孔を有する第１選別筒の外側に、前記第１選別孔より小形の第２選別孔を有する第２選別筒を同心円状に配置させた二重構造からなり、第１選別筒の一端に設けられる開口窓が他端に設けられる排出口より高い位置となるよう傾斜させて前記基台に回転自在に配設され、前記選別孔より被選別物を選別する選別筒と、前記選別筒を回転させる駆動部と、前記選別筒へと被選別物を誘導する誘導孔を備えるホッパとを備え、前記開口窓と前記ホッパの誘導孔とを偏心させ重合配置して連通範囲を形成し、被選別物が移動可能な最小連通範囲を確保するとともに、前記選別筒の回転に伴い、前記連通範囲が周期的に変動する鱗茎菜用回転円筒選別装置。【選択図】  図１
2013202443.tif 000002
【特許請求の範囲】
【請求項１】
基台と、
第１選別孔を有する第１選別筒の外側に、前記第１選別孔より小形の第２選別孔を有する第２選別筒を同心円状に配置させた二重構造からなり、第１選別筒の一端に設けられる開口窓が他端に設けられる排出口より高い位置となるよう傾斜させて前記基台に回転自在に配設され、前記選別孔より被選別物を選別する選別筒と、
前記選別筒を回転させる駆動部と、
前記選別筒へと被選別物を誘導する誘導孔を備えるホッパとを備え、
前記開口窓と前記ホッパの誘導孔とを偏心させ重合配置して連通範囲を形成し、被選別物が移動可能な最小連通範囲を確保するとともに、前記選別筒の回転に伴い、前記連通範囲が周期的に変動することを特徴とする鱗茎菜用回転円筒選別装置。
【請求項２】
前記連通範囲は、正弦曲線状に周期的に変動する請求項１に記載の鱗茎菜用回転円筒選別装置。
【請求項３】
前記第１選別筒は前記第２選別筒に対して着脱可能とされる請求項１又は請求項２に記載の鱗茎菜用回転円筒選別装置。
【請求項４】
前記第１選別筒及び前記第２選別筒における各選別部の内周面には、送り板が軸線方向に沿って複数個設けられるとともに、内周面の円周方向に複数個設けられる請求項１から請求項３のいずれか１項に記載の鱗茎菜用回転円筒選別装置。
【発明の詳細な説明】
【技術分野】
【０００１】
本発明は、果実、野菜等の被選別物を選別孔を有する選別筒に投入し回転させることで、被選別物を選別する回転円筒選別装置に係るものであって、特に鱗茎を食用をする野菜、例えば食用ユリ、タマネギ、ラッキョウ等の鱗茎菜を選別する鱗茎菜用回転円筒選別装置に関するものである。
【背景技術】
【０００２】
従来より、選別孔を有する選別筒を回転させることで、被選別物を選別する回転円筒選別装置が公知である。例えば、選別部材を支持する選別部材支持溝を設けた複数の支持部材の選別部材支持溝を内側に向け、周方向一定間隔に設けた各支持部材の選別部材支持溝に選別部材の弾力の拡径作用により選別部材を螺旋状や環状に取り付けて選別間隙を形成し、被選別物を選別する直列に配置された複数の選別部を備える回転円筒選別装置が公知である（特許文献１参照）。また、略同様の構造であって、選別筒の内面に被選別物の走り過ぎを抑制する抑制螺旋を備える回転円筒選別装置が公知である（特許文献２参照）。
【先行技術文献】
【特許文献】
【０００３】
【特許文献１】特開平９−１３６０６４号
【特許文献２】特開２００７−５４８１４号  上記構造では、直列に配置される複数の選別部により、投入口から排出口に向かって被選別物の大きさを選別する為、選別範囲が大きくなり、当該装置としても大型となり高価となる虞があった。また、投入口近郊の選別部においては、ホッパに投入された多量の被選別物が勢いよく移動する為、選別部への負荷が大きく、選別部が破損する等の虞があり、耐久性に優れたものではなかった。
【０００４】
更に、選別部へ移動する被選別物の量を調節する為、ホッパ内部に仕切板が設置される装置もあるが、当該仕切板は作業員により適宜調節されるものであった為、被選別物をせん断してしまったり、作業効率の低下が懸念されるものであった。
【発明の概要】
【発明が解決しようとする課題】
【０００５】
そこで、本発明はこのような問題点を解決するものであって、被選別物となる鱗茎菜をせん断することなく、被選別物の量を調節しながら選別筒に投入し、選別筒への負荷を軽減させ耐久性を向上させるとともに、作業効率を改善する鱗茎菜用回転円筒選別装置を提供することを課題とする。
【課題を解決するための手段】
【０００６】
前記問題点を解決するために、本発明の請求項１に記載の鱗茎菜用回転円筒選別装置は、基台と、第１選別孔を有する第１選別筒の外側に、前記第１選別孔より小形の第２選別孔を有する第２選別筒を同心円状に配置させた二重構造からなり、第１選別筒の一端に設けられる開口窓が他端に設けられる排出口より高い位置となるよう傾斜させて前記基台に回転自在に配設され、前記選別孔より被選別物を選別する選別筒と、前記選別筒を回転させる駆動部と、前記選別筒へと被選別物を誘導する誘導孔を備えるホッパとを備え、前記開口窓と前記ホッパの誘導孔とを偏心させ重合配置して連通範囲を形成し、被選別物が移動可能な最小連通範囲を確保するとともに、前記選別筒の回転に伴い、前記連通範囲が周期的に変動することを特徴とするものである。
【０００７】
また、本発明の請求項２に記載の鱗茎菜用回転円筒選別装置は、請求項１に記載の鱗茎菜用回転円筒選別装置において、前記連通範囲は、正弦曲線状に周期的に変動するものである。
【０００８】
また、本発明の請求項３に記載の発明の鱗茎菜用回転円筒選別装置は、請求項１又は請求項２に記載の鱗茎菜用回転円筒選別装置において、前記第１選別筒は前記第２選別筒に対して着脱可能とされるものである。
【０００９】
また、本発明の請求項４に記載の発明の鱗茎菜用回転円筒選別装置は、請求項１から請求項３のいずれか１項に記載の鱗茎菜用回転円筒選別装置において、前記第１選別筒及び前記第２選別筒における各選別部の内周面には、送り板が軸線方向に沿って複数個設けられるとともに、内周面の円周方向に複数個設けられるものである。
【発明の効果】
【００１０】
本発明の鱗茎菜用回転円筒選別装置では、ホッパの誘導孔を選別筒の開口窓と連通範囲を有するように重合した状態で配置するとともに、最小連通範囲を確保した状態で、選別筒の回転に応じて連通範囲を変動させるので、被選別物の量を調節しながら選別筒に投入し、当該大きさ毎に区分けして排出することができる。
【００１１】
また、被選別物が移動可能な最小連通範囲を確保した状態でホッパから選別筒へと投入するので、被選別物をせん断させることもない。更に、連通範囲を正弦曲線状に周期的に変動させながら被選別物を選別筒に投入するので、多量の被選別物が勢いよく移動する虞もなく、選別筒への負荷を軽減し耐久性の向上させるとともに、作業効率の改善にも繋がる。
【００１２】
更に、第１選別筒は第２選別筒に対して着脱可能に構成されるので、各選別筒のメンテナンスを容易に行うことができる。また、第１選別筒及び第２選別筒の内周面に送り板を設けるので、排出口に向けて効率よく被選別物を移動させることができる。
【図面の簡単な説明】
【００１３】
【図１】本発明の実施例における鱗茎菜用回転円筒選別装置の斜視図である。
【図２】本発明の実施例における鱗茎菜用回転円筒選別装置の（ａ）右側面図、（ｂ）左側面図である。
【図３】本発明の実施例における鱗茎菜用回転円筒選別装置の一部省略縦断面図である。
【図４】本発明の実施例における鱗茎菜用回転円筒選別装置の駆動部を説明する一部省略拡大斜視図である。
【図５】本発明の実施例における鱗茎菜用回転円筒選別装置の第１選別筒の斜視図である。
【図６】本発明の実施例における鱗茎菜用回転円筒選別装置の第２選別筒の斜視図である。
【図７】本発明の実施例における鱗茎菜用回転円筒選別装置の選別筒の斜視図である。
【図８】本発明の実施例における鱗茎菜用回転円筒選別装置の図３のＡ―Ａ端面図である。
【図９】本発明の実施例における鱗茎菜用回転円筒選別装置の選別筒の（ａ）連通範囲が最小時の状態説明図、（ｂ）状態説明図（ａ）の状態から選別筒を９０度回転させた状態説明図である。
【図１０】本発明の実施例における鱗茎菜用回転円筒選別装置の選別筒の（ｃ）状態説明図（ｂ）の状態から選別筒を９０度回転させ、連通範囲が最大時の状態説明図、（ｄ）状態説明図（ｃ）の状態から選別筒を９０度回転状態説明図である。
【発明を実施するための形態】
【００１４】
以下、本発明の実施の形態における鱗茎菜用回転円筒選別装置を図面に基づいて説明する。当該鱗茎菜用回転円筒選別装置において、被選別物が投入される投入口を有する側を投入側とし、被選別物が排出される排出口を有する側を排出側とする。
【００１５】
本発明の鱗茎菜用円筒選別装置により選別される被選別物は、鱗茎を食用をする野菜、例えば食用ユリ、タマネギ、ラッキョウ等の鱗茎菜とされる。選別工程において、後述する第１選別筒により選別され、第１選別筒内部に残存する被選別物をＬサイズとする。また、第１選別筒により選別され、第１選別筒外部へ排出され第２選別筒内部に残存する被選別物をＭサイズとする。更に、第２選別筒により選別され、第２選別筒から下方へ排出される被選別物をＳサイズとする。
【実施例】
【００１６】
本発明に係る鱗茎菜用円筒選別装置は、図１に示すように、ホッパに投入された被選別物の量を調節しながら選別筒に投入し、回転自在に支持される選別筒により、被選別物における外形の大きさで選別し、その大きさ毎に区分けして排出する選別装置である。本実施例においては、鱗茎菜の中でもラッキョウを被選別物として説明する。
【００１７】
図１は、鱗茎菜用回転円筒選別装置の斜視図である。鱗茎菜用回転円筒選別装置は、基台１０と、駆動部２０と、駆動部２０の駆動を伝達する伝達手段と、第１選別筒４０と第２選別筒５０からなる選別筒３０と、ホッパ６０と、複数の排出シュート７０とから構成される。
【００１８】
基台１０は、図１から図４に示すように、上方に選別筒３０が挿通できるよう開口部１１を有し、内部に第１排出シュート７１を収容する収容空間を有してなる。本実施例においては、略コ字形状の枠状体１２から下方に脚部１３が設けられて構成される。また、各脚部の略中央部は連結部１４により連結されており、脚部の下方にはキャスター等の移動手段１５が設けられる。
【００１９】
駆動部２０は、伝達手段を介して選別筒３０を回転させるものである。本実施例において、図３及び図４に示すように、駆動部２０は、出力軸に固着される駆動スプロケット２１を枠状体１２の外側に配置させた状態で基台１０内部の収容空間に設けられる。
【００２０】
また、基台１０には水平方向に配置される駆動軸２２を軸支する軸受（図示しない）が設けられ、駆動軸２２には支持車輪２３が設けられる。支持車輪２３は、選別筒３０を支持する為、駆動軸２２の両端部に設けられる。また、駆動軸２２は、基台１０の幅方向における両端部の２箇所に設けられる。駆動軸２２の一端部には、受動スプロケット２４が設けられる。駆動スプロケット２１の駆動により、チエン２５を介して受動スプロケット２４が受動し、駆動軸２２及び支持車輪２３が従動する。
【００２１】
また、駆動スプロケット２１、受動スプロケット２４及びチエン２５は、基台１０における枠状体１２の外側に配置されているので、安全面からこれらを覆設するようにしてカバー２６が設けられる。伝達手段は、これに限られず、プーリー、ベルト等の公知の伝達手段を採用することもできる。また、選別筒３０の回転は、直接駆動部の出力軸に接続させて回転させる構造を採用することもできる。
【００２２】
選別筒３０は、被選別物における外形の大きさを選別するものである。選別筒は、第１選別筒４０と第２選別筒５０とから構成される。第１選別筒４０は、第２選別筒５０より小径となるよう形成される。選別筒３０は、第１選別筒４０の外側に第２選別筒５０を同心円状に配置させた二重構造からなる。
【００２３】
第１選別筒４０は、被選別物のＬサイズとＭサイズとを選別するものである。第１選別筒４０は、図５に示すように、前端部４１と後端部４２とを連結部４３で連結し、前端部４１と後端部４２との間に第１選別部４４を設けた略円筒状に形成される。第１選別筒４０における前端部４１側は、被選別物が投入される開口窓４５を有する天面４６で覆設されており、後端部４２側は開口した状態となる。当該開口は、Ｌサイズの被選別物を排出する排出口とされる。
【００２４】
前端部４１における開口窓４５は、天面４６における円の中心位置から偏心して形成される。開口窓４５は、例えば略扇形状に形成される。また、前端部４１及び後端部４２には、第１選別筒４０を第２選別筒５０に固着させる為の前端固着片４７、後端固着片４８が設けられる。前端固着片４７及び後端固着片４８は、第１選別筒４０の外径方向に突出するようにして設けられる。
【００２５】
第１選別部４４は、例えば対辺が２０ｍｍ程度の略六角形状の第１選別孔４９を全面に有する金網から形成される。これにより、第１選別筒４０内部を移動する被選別物のうち、第１選別孔４９の外形より小さいＭサイズの被選別物は、第１選別筒４０の外側へと排出される。また、当該外形より大きいＬサイズの被選別物は、第１選別筒４０の内側に残存する。第１選別部４４は、金網に限られることなく、略同等寸法形状の丸孔等を複数設けた金属板を採用することもできる。
【００２６】
また、第１選別部４４の内周面には、第１選別筒４０の軸線方向から回転方向に向かって傾斜するようにして、被選別物を移送させる送り板４ａが設けられる。当該送り板４ａは、軸線方向に沿って等間隔に複数個が設けられるとともに、内周面の円周方向においても等間隔に複数個が設けられる。本実施例において、送り板４ａは、軸線方向及び内周面の円周方向のいずれにおいても３箇所に設けられ、計９箇所に設けられる。
【００２７】
第２選別筒５０は、被選別物のＭサイズとＳサイズとを選別するものである。第２選別筒５０は、第１選別筒４０より大径となるよう形成される。第２選別筒５０は、図６に示すように、第１選別筒４０と同様にして、前端部５１と後端部５２とを連結部５３で連結し、前端部５１と後端部５２との間に第２選別部５４を設けた略円筒状に形成される。前端部５１及び後端部５２は、支持車輪２３により支持される部分である。第２選別筒５０における前端部５１は、端部にフランジ部５５を有してなり第１選別筒４０が挿通可能な挿通孔５６が設けられる。また、後端部５２は開口してなり、当該内周面には第１選別筒４０を固着する為の連結部材５７が設けられる。当該開口は、Ｍサイズの被選別物を排出する排出口とされる。
【００２８】
第２選別部５４は、例えば対辺が１６ｍｍ程度の略六角形状の第２選別孔５８を全面に有する金網から形成される。これにより、第２選別筒５０内部を移動する被選別物のうち、第２選別孔５８の外形より小さいＳサイズの被選別物は、第２選別筒５０の外側へと排出される。また、当該外形より大きいＭサイズの被選別物は、第２選別筒５０の内側に残存する。第２選別部５４は、第１選別筒４４と同様にして、金網に限られることはない。
【００２９】
また、第２選別部５０の内周面には、第２選別筒５０の軸線方向から回転方向に向かって傾斜するようにして、被選別物を移送させる送り板５９が設けられる。当該送り板５９は、軸線方向に沿って等間隔に複数個が設けられるとともに、内周面の円周方向においても等間隔に複数個が設けられる。本実施例においては、送り板５９は、軸線方向及び内周面の円周方向のいずれにおいても３箇所に設けられ、計９箇所に設けられる。
【００３０】
このようにして形成される第１選別筒４０と第２選別筒５０は、図７のようにして一体とされる。具体的には、第１選別筒４０を第２選別筒５０の内側に配置させた状態で、第１選別筒４０における前端固着片４７をネジ等の固着手段により第２選別筒５０におけるフランジ部５５に固着させる。また、第１選別筒４０における後端固着片４８を上記固着手段により第２選別筒５０における連結部材５７に固着させる。これにより、選別筒３０は、第１選別筒４０の外側に第２選別筒５０を同心円状に配置させた二重構造とすることができる。
【００３１】
当該状態において、第１選別筒４０における前端部４１の天面４６と第２選別筒５０における前端部５１のフランジ部５５は、略同一平面上に配置される。一方、第１選別筒４０における後端部４２は、第２選別筒５０における後端部５２の端面から軸線方向に突出した状態となる。これにより、第１選別筒４０と第２選別筒５０に取り付ける排出シュートのスペースを確保している。
【００３２】
また、送り板４ａ、５９の配置は、図８に示すようにして、第１選別筒４０における送り板４ａと第２選別筒５０における送り板５９との位置をずらして配置させる。具体的には、第１選別筒４０における各送り板４ａの外径方向において、第２選別筒５０における送り板５９を同一直線上に配置させないようにして一体としている。これにより、選別筒３０において、第１選別筒４０における送り板４ａと第２選別筒５０における送り板５９とが均等に配置された状態となり、排出口に向けて効率よく被選別物を移動させることができる。
【００３３】
一体とされた選別筒３０は、図１から図４に示すようにして、基台１０における開口部１１から挿通されて、第２選別筒５０における前端部５１及び後端部５２が支持車輪２３上に載置される。これにより、選別筒３０は支持車輪２３の回転により回転自在となる。
【００３４】
また、基台１０に設けられる挟持手段１６によって第２選別筒５０におけるフランジ部５５を挟持することで、回転時における選別筒３０の軸線方向への移動を規制している。本実施例においては、２個のローラを軸線方向に間隙を有して配置させ、当該間隙にフランジ部５５を配置させることで挟持している。挟持手段１６は、これに限られないことは勿論である。
【００３５】
更に、基台１０における選別筒３０の下方の収容空間には、第２選別筒５０から外側へと排出されたＳサイズの被選別物を誘導する第１排出シュート７１が設けられる。
【００３６】
また、選別筒３０における開口窓４５が配置される側の基台１１の一端、すなわち投入側には、ブラケット６１を介して被選別物を収容するホッパ６０が設けられる。図２及び図３に示すように、ホッパ６０は、被選別物を投入する投入口６２と、ホッパ６０から選別筒３０へと被選別物を誘導する誘導孔６３とを備えている。当該誘導孔６３は、例えば略台形状に形成される。
【００３７】
ホッパ６０は、第１選別筒４０の開口窓４５とホッパ６０の誘導孔６３とが連通範囲を有するように重合した状態で配置される。具体的には、誘導孔６３が天面４６における円の中心位置から偏心した位置に配置される。このとき、開口窓４５と誘導口６３との位置関係は、常時所定の範囲において重合した状態となる。すなわち、両者が偏心した状態で配置されるので、選別筒３０の回転により、開口窓４５と誘導孔６３との連通範囲が変動するものである。当該連通範囲については、後述する。また、ブラケット６１におけるホッパ６０の上下位置を可動させることで、開口窓４５と誘導口６３の偏心位置を調整し、連通範囲を変動させることもできる。
【００３８】
一方、基台１０の他端側、すなわち排出側であって、第２選別筒５０における後端部５２には、第２選別筒５０の内側に残存したＭサイズの被選別物を誘導する第２排出シュート７２が設けられる。また、第１選別筒４０における後端部４２には、第１選別筒４０の内側に残存したＬサイズの被選別物を誘導する第３排出シュート７３が設けられる。
【００３９】
このようにして構成される鱗茎菜用回転円筒選別装置は、基台１０に設けられる高さ調節手段１７により、ホッパ６０の投入口６２（投入側）が選別筒３０の排出口（排出側）より３度程度高くなるよう微小に傾斜させてなる。高さ調節手段１７には、公知のアジャスターボルト等が用いられる。
【００４０】
本発明に係る鱗茎菜用回転円筒選別装置は、１分間に選別筒３０が８回転程度して、次のようにして選別筒３０に投入される被選別物の量を調節しながら、被選別物における外形の大きさを選別し、その大きさ毎に区分けして排出する。以下に、図９及び図１０に基づいて説明する。
【００４１】
選別筒３０の連通範囲が最小時の状態について、図９（ａ）に基づいて説明する。当該状態は、開口窓４５と誘導孔６３との連通範囲が最小となり、ホッパ６０から選別筒３０へ移動する被選別物の量も最小となる。当該最小連通範囲とは、少なくとも１つ以上の被選別物が移動できる範囲であればよい趣旨である。これにより、当該連通範囲は閉鎖されることがないので、被選別物をせん断させることなく、ホッパ６０から選別筒３０へと移動させることができる。
【００４２】
次に、選別筒３０が９０度回動した状態について、図９（ｂ）に基づいて説明する。当該状態においては、選別筒３０の回転に伴い、開口窓４５が回転するので誘導孔６３との連通範囲が増加する。これにより、ホッパ６０から選別筒３０へ移動する被選別物の量も増加することとなる。
【００４３】
次に、選別筒３０が１８０度回動し、選別筒３０の連通範囲が最大時の状態について、図１０（ｃ）に基づいて説明する。当該状態においては、選別筒３０の回転に伴い、開口窓４５が回転するので誘導孔６３との連通範囲が更に増加する。このとき、開口窓４５と誘導孔６３との連通範囲は最大となり、ホッパ６０から選別筒３０へ移動する被選別物の量も最大となる。当該最大連通範囲は、最小の場合と比較して、被選別物が移動できる個数に制限されるものではない。
【００４４】
次に、選別筒３０が２７０度回動した状態について、図１０（ｄ）に基づいて説明する。当該状態においては、選別筒３０の回転に伴い、開口窓４５が回転するが、連通範囲の最大箇所を通過しているので誘導孔６３との連通範囲が減少する。これにより、ホッパ６０から選別筒３０へ移動する被選別物の量も減少することとなる。
【００４５】
そして、選別筒３０が１回転すると、図９（ａ）に示すように、再度開口窓４５と誘導孔６３との連通範囲が最小となり、ホッパ６０から選別筒３０へ移動する被選別物の量も最小となる。このようにして、選別筒３０の回転に応じて、最小連通範囲を確保した状態で正弦曲線状に周期的に連通範囲を変動させることで、被選別物の量を調節しながら選別筒３０に投入させることができる。
【００４６】
選別筒３０に投入された被選別物は、第１選別筒４０内部を移動する。移動時において、第１選別孔４９の外形より小さいＭサイズ又はＳサイズの被選別物は、第１選別筒４０の外側の第２選別筒５０へと排出される。また、当該外形より大きいＬサイズの被選別物は、第１選別筒４０の内側に残存し、送り板４ａにより移送されることで第３排出シュート７３から排出される。
【００４７】
また、第２選別筒５０へと排出されたＭサイズ又はＳサイズの被選別物のうち、第２選別孔５８の外形より大きいＭサイズの被選別物は、第２選別筒５０の内側に残存し、送り板５９により移送されることで第２排出シュート７２から排出される。
【００４８】
また、第２選別孔５８の外形より小さいＳサイズの被選別物は、第２選別筒５０の外側へ排出され、第１排出シュート７１から排出される。このようにして、ホッパ６０に投入される被選別物を当該外形の大きさで選別し、その大きさ毎に区分けして排出することができる。
【００４９】
以上、説明した本発明に係る鱗茎菜用回転円筒選別装置によれば、ホッパ６０の誘導孔６３を選別筒３０の開口窓４５と連通範囲を有するように重合した状態で配置するとともに、最小連通範囲を確保した状態で、選別筒３０の回転に応じて連通範囲を正弦曲線状に周期的に変動させるので、被選別物の量を調節しながら選別筒３０に投入し、当該大きさ毎に区分けして排出することができる。
【００５０】
当該発明は、上述の実施形態の構成に限定されるものではなく、形状、寸法、材質等を適宜変更して実施することが可能である。また、一部構成を省略することができるし、一部抽出した構成とすることができるのは勿論である。
【００５１】
例えば、被選別物の種類によって、選別部における外形の大きさ、駆動部２０の回転速度、開口窓４５又は誘導孔６３の外形、及び開口窓４５と誘導孔６３が形成する連通範囲等を適宜変更できるのは勿論である。
【００５２】
選別筒への負荷を考慮すると、上記実施例のように連通範囲を正弦曲線状に周期的に変動させるよう開口窓４５及び誘導孔６３を配置させることが望ましいが、これに限られることなく、最大連通範囲を一定周期間維持するよう開口窓４５及び誘導孔６３の配置を適宜変更することもできる。
【符号の説明】
【００５３】
１０    基台
２０    駆動部
３０    選別筒
４０    第１選別筒
４５    開口窓
４９    第１選別孔
５０    第２選別筒
５８    第２選別孔
６０    ホッパ
６３    誘導孔
【図１】
2013202443.tif 000003
【図２】
2013202443.tif 000004
【図３】
2013202443.tif 000005
【図４】
2013202443.tif 000006
【図５】
2013202443.tif 000007
【図６】
2013202443.tif 000008
【図７】
2013202443.tif 000009
【図８】
2013202443.tif 000010
【図９】
2013202443.tif 000011
【図１０】
2013202443.tif 000012